【事件の表示】
　特願２０１６−１６５７６８「アプリケーションおよびメディアコンテンツ保護配布のための方法および装置」拒絶査定不服審判事件〔平成２９年　１月２６日出願公開、特開２０１７−　２１８２０〕について、次のとおり審決する。
【結　論】
　本件審判の請求は、成り立たない。
【理　由】
第１　手続の経緯
　
　本件審判請求に係る出願（以下，「本願」という。）は，２００７年２月２６日（パリ条約による優先権主張外国庁受理２００６年２月２４日（以下，「優先日」という。），米国）に国際出願した特願２００８−５５６５８４号の一部を平成２４年２月２２日に新たな特許出願とした，特願２０１２−３６４２９号の一部を平成２６年３月３日に新たな特許出願とした，特願２０１４−４０９５１号の一部を平成２８年８月２６日に新たな特許出願としたものであって，その手続の経緯は以下のとおりである。
　
　　平成２８年　９月２６日　　　：翻訳文，手続補正書の提出
　　平成２９年　３月　９日付け　：拒絶理由の通知
　　平成２９年　９月１２日　　　：意見書，手続補正書の提出
　　平成２９年１１月１４日付け　：拒絶査定
　　平成３０年　３月２０日　　　：審判請求書，手続補正書の提出
　
第２　平成３０年３月２０日付けの手続補正についての補正却下の決定
　
 ［補正却下の決定の結論］ 
　
　平成３０年３月２０日付けの手続補正（以下，「本件補正」という。）を却下する。
　
 ［理由］ 
　
 １　本件補正について（補正の内容）
　
（１）本件補正後の特許請求の範囲の記載
　
　本件補正により，特許請求の範囲の請求項１乃至４５の記載は，次のとおり補正された。（下線部は，補正箇所である。以下，この特許請求の範囲に記載された請求項を「補正後の請求項」という。）
　「　　【請求項１】
　格納装置識別子および保護対象コンテンツを含む格納装置をアクティブにする複数の計算装置のための方法であって，前記格納装置識別子は前記格納装置を識別するもので，前記方法は，
　前記格納装置識別子をネットワーク装置へ送出し，
　前記保護対象コンテンツの一部をアクセスするための暗号メカニズムの少なくとも
１つの
少なくとも前記参照符との間
前記
　前記暗号メカニズムで前記保護対象コンテンツの
前記
　　【請求項２】
　前記暗号メカニズムでアクセスした前記一部とは異なる前記保護対象コンテンツの少なくとも１つの別の部分をアクセスするためのリクエストで，前記計算装置に関連付けられた計算装置識別子および前記格納装置識別子の少なくとも一方を含むリクエストを前記ネットワーク装置へ送出し，
　前記格納装置識別子と前記計算装置識別子の少なくとも一方との関連性に基づいて，前記保護対象コンテンツの少なくとも前記別の部分に対応する少なくとも１つの別の暗号メカニズムの少なくとも１つの参照符を前記ネットワーク装置から受け取り，
　前記別の暗号メカニズムで前記保護対象コンテンツの少なくとも前記別の部分をアクセスすることを更に備える請求項１に記載の方法。
　　【請求項３】
　前記暗号メカニズムの参照符の受取前に支払情報を提供することを更に備え，ここで前記支払情報が前記保護対象コンテンツの少なくとも前記一部をアクセスするための支払いに対応する請求項１に記載の方法。
　　【請求項４】
　前記別の暗号メカニズムの参照符の受取前に支払情報を提供することを更に備え，ここで前記支払情報が前記保護対象コンテンツの少なくとも前記別の部分をアクセスするための支払いに対応する請求項２に記載の方法。
　　【請求項５】
　前記ネットワーク装置から前記暗号メカニズムの少なくとも前記参照符を受け取ることが更に前記格納装置の利用可能性についての確認に基づく請求項１に記載の方法。
　　【請求項６】
　前記格納装置の利用可能性についての前記確認は，前記格納装置識別子と前記格納装置を含めた入手取引との間の関連性に基づく請求項５に記載の方法。
　　【請求項７】
　前記ネットワーク装置へ計算装置識別子を送出することを更に備え，前記計算装置識別子が前記計算装置に関連付けられ，前記ネットワーク装置から前記暗号メカニズムの少なくとも前記参照符を受け取ることは前記計算装置で前記計算装置識別子との関連性に基づく受け取りを更に含む請求項１に記載の方法。
　　【請求項８】
　前記ネットワーク装置へ別の計算装置識別子を送出することを更に備え，前記別の計算装置識別子が別の計算装置に関連付けられ，前記ネットワーク装置から前記暗号メカニズムの少なくとも前記参照符を受け取ることは前記別の計算装置で前記別の計算装置識別子との関連性に基づく受け取りを更に含む請求項７に記載の方法。
　　【請求項９】
　前記暗号メカニズムの少なくとも前記参照符を受け取ることは，前記暗号メカニズムの受け取りを更に含む請求項１に記載の方法。
　　【請求項１０】
　前記保護対象コンテンツは，所定の暗号メカニズムで不明瞭化されたコンテンツを含む請求項１に記載の方法。
　　【請求項１１】
　前記格納装置は非保護対象コンテンツを更に含む請求項１に記載の方法。
　　【請求項１２】
　前記非保護対象コンテンツをアクセスするステップを更に備え，前記非保護対象コンテンツはプレビューコンテンツを含む請求項１１に記載の方法。
　　【請求項１３】
　前記非保護対象コンテンツをアクセスするステップを更に備え，前記非保護対象コンテンツは限定使用コンテンツを含む請求項１１に記載の方法。
　　【請求項１４】
　前記非保護対象コンテンツをアクセスするステップは，更に前記計算装置に関連付けされた限定使用コンテンツであるとして前記限定使用コンテンツを定義する請求項１３に記載の方法。
　　【請求項１５】
　格納装置識別子および保護対象コンテンツを含む格納装置をアクティブにする計算装置で使用するためコンピュータ可読格納媒体であって，前記格納装置識別子は前記格納装置を識別し，前記コンピュータ可読格納媒体は一連の命令を実体的に格納するもので，
　これら一連の命令が実行時に前記計算装置のコンピュータに，
　前記格納装置識別子をネットワーク装置へ送出するアクションと，
　前記保護対象コンテンツの一部をアクセスするための暗号メカニズムの少なくとも１つの参照符を前記ネットワーク装置から受け取るアクションと，ここにおいて前記暗号メカニズムの少なくとも前記参照符は前記格納装置識別子と
少なくとも前記参照符との間
前記
　前記暗号メカニズムで前記保護対象コンテンツの前記一部をアクセスするアクションとを行わせるコンピュータ可読格納媒体。
　　【請求項１６】
　格納装置識別子および保護対象コンテンツを含む格納装置をアクセスするための少なくとも１つのプロセッサであって，
　前記格納装置識別子は前記格納装置を識別するもので，
　前記格納装置識別子をネットワーク装置へ送出するアクションと，
　前記保護対象コンテンツの一部をアクセスするための暗号メカニズムの少なくとも１つの参照符を前記ネットワーク装置から受け取るアクションと，ここにおいて前記暗号メカニズムの少なくとも前記参照符は前記格納装置識別子と
少なくとも前記参照符との間
前記
　前記暗号メカニズムで前記保護対象コンテンツの前記一部をアクセスするアクションとを行うように構成される少なくとも１つのプロセッサ。
　　【請求項１７】
　格納装置識別子および保護対象コンテンツを含む格納装置をアクティブにする無線装置であって，前記格納装置識別子は前記格納装置を識別するもので，
　前記格納装置識別子をネットワーク装置へ送出する手段と，
　前記保護対象コンテンツの一部をアクセスするための暗号メカニズムの少なくとも１つの参照符を前記ネットワーク装置から受け取る手段と，ここにおいて前記暗号メカニズムの少なくとも前記参照符は前記格納装置識別子と
少なくとも前記参照符との間
前記
　前記暗号メカニズムで前記保護対象コンテンツの前記一部をアクセスする手段と
を備える無線装置。
　　【請求項１８】
　格納装置識別子および保護対象コンテンツを含む格納装置をアクティブにする計算装置であって，前記格納装置識別子は前記格納装置を識別するもので，前記計算装置は，
　処理エンジンと，
　前記処理エンジンにより実行可能なコンテンツアクセス開始モジュールと
　を備え，前記コンテンツアクセス開始モジュールが，前記格納装置に格納された前記保護対象コンテンツを認識し，ネットワーク装置に前記格納装置識別子を伝達し，前記保護対象コンテンツの一部をアクセスするための第１の暗号メカニズムの少なくとも１つの参照符を前記ネットワーク装置から受け取り，前記第１の暗号メカニズムを前記保護対象コンテンツの前記一部に適用して前記保護対象コンテンツの前記一部を非保護対象コンテンツの一部に変換するように動作可能であり，ここにおいて前記暗号メカニズムの少なくとも前記参照符は前記格納装置識別子と
少なくとも前記参照符との間
前記
　　【請求項１９】
　前記コンテンツアクセス開始モジュールとの通信で各々格納される前記格納装置識別子および前記第１の暗号メカニズムを更に備え，前記コンテンツアクセス開始モジュールは，更に前記格納装置識別子を前記ネットワーク装置に無線で伝達し，前記格納装置識別子に関連付けられた前記第１の暗号メカニズムの少なくとも前記参照符を前記ネットワーク装置から無線で受け取るように動作可能である請求項１８に記載の計算装置。
　　【請求項２０】
　前記計算装置に関連付けられた計算装置識別子を更に備え，前記コンテンツアクセス開始モジュールは更に前記計算装置識別子および前記格納装置識別子を前記ネットワーク装置に伝達するように動作可能であり，前記第１の暗号メカニズムの少なくとも前記参照符は前記計算装置識別子と前記格納装置識別子との間における所定の関連性に対応する請求項１８に記載の計算装置。
　　【請求項２１】
　前記格納装置は前記計算装置と着脱可能に通信する請求項１８に記載の計算装置。
　　【請求項２２】
　前記格納装置は非保護対象コンテンツを更に備え，前記非保護対象コンテンツはプレビューコンテンツを含む請求項２１に記載の計算装置。
　　【請求項２３】
　前記格納装置は非保護対象コンテンツを更に備え，前記非保護対象コンテンツは限定使用コンテンツを含む請求項２１に記載の計算装置。
　　【請求項２４】
　前記限定使用コンテンツは前記計算装置に関連付けられる請求項２３に記載の計算装置。
　　【請求項２５】
　前記格納装置は，フラッシュメディアカード，コンパクトディスク(ＣＤ)，およびデジタルビデオディスク(ＤＶＤ)からなるグループから選択される請求項２１に記載の計算装置。
　　【請求項２６】
　前記保護対象コンテンツは複数の暗号メカニズムの１つに各々対応する複数の保護対象コンテンツ部分を備え，前記アクセス開始モジュールは，前記複数の保護対象コンテンツ部分の少なくとも１つに対応する前記複数の暗号メカニズムの少なくとも１つを受け取るように動作可能である請求項２１に記載の計算装置。
　　【請求項２７】
　前記コンテンツアクセス開始モジュールとの通信で格納される前記第１の暗号メカニズムおよび第２の暗号メカニズムを更に備え，前記保護対象コンテンツは前記保護対象コンテンツ部分および別の保護対象コンテンツ部分を含み，前記アクセス開始モジュールは，前記第２の暗号メカニズムを少なくとも前記別の保護対象コンテンツ部分に適用して前記別の保護対象コンテンツ部分を別の非保護対象コンテンツ部分に変換するように動作可能である請求項１８に記載の計算装置。
　　【請求項２８】
　支払情報を持つメモリを更に備え，前記コンテンツアクセス開始モジュールは，更に前記第２の暗号メカニズムと引き換えに前記支払情報を前記ネットワーク装置へ送出するように動作可能である請求項２７に記載の計算装置。
　　【請求項２９】
　前記計算装置は無線ネットワーク上で動作可能な無線装置を含む請求項１８に記載の計算装置。
　　【請求項３０】
　格納装置識別子および保護対象コンテンツを含む格納装置をアクティブにする計算装置にリンクされるネットワーク装置であって，前記格納装置識別子は前記格納装置を識別するもので，
　処理エンジンと，
　前記処理エンジンによって実行される私用化モジュールとを備え，前記私用化モジュールが，前記計算装置から前記格納装置識別子を受け取
り，
前記格納装置識別子と少なくとも前記参照符との間の予め定義された関連性に基づいて
前記
　　【請求項３１】
　前記私用化モジュールと通信するネットワークデータベースを更に備え，前記ネットワークデータベースが，前記暗号メカニズムの少なくとも前記参照符に関連付けられた前記格納装置識別子を含む請求項３０に記載のネットワーク装置。
　　【請求項３２】
　前記ネットワークデータベースは複数の暗号メカニズムに関連付けられた前記保護対象コンテンツの複数の部分の識別情報を更に含み，前記保護対象コンテンツの前記複数の部分は更に前記格納装置識別子に関連付けられ，前記私用化モジュールは更に前記保護対象コンテンツの前記複数の部分の１つの識別情報を受け取るように動作可能であり，前記暗号メカニズムの前記参照符は前記保護対象コンテンツの前記複数の部分の前記識別された１つに対応する前記複数の暗号メカニズムの前記１つの参照符を更に含む請求項３１に記載のネットワーク装置。
　　【請求項３３】
　前記ネットワークデータベースは前記格納装置識別子に関連付けられた計算装置識別子を更に含み，前記私用化モジュールは更に前記計算装置が前記計算装置識別子に対応する場合に前記暗号メカニズムの少なくとも前記参照符を前記計算装置に伝達するように動作可能である請求項３１に記載のネットワーク装置。
　　【請求項３４】
　前記ネットワークデータベースは前記格納装置識別子に関連付けられた入手情報を更に含み，前記私用化モジュールは更に前記計算装置が前記入手情報に関連付けられている場合に前記暗号メカニズムの少なくとも前記参照符を前記計算装置に伝達するように動作可能な請求項３１に記載のネットワーク装置。
　　【請求項３５】
　格納装置識別子を含む格納装置を配布可能にする装置のための方法であって，前記格納装置は計算装置と着脱可能に通信するように構成されるもので，
　前記格納装置に非保護対象コンテンツをロードし，
　前記非保護対象コンテンツの少なくとも一部を暗号メカニズムの少なくとも１つの参照符により不明瞭化し，これにより保護対象コンテンツの一部を定義し，
　前記格納装置識別子と前記暗号メカニズムの少なくとも
前記
データベースのために
　前記保護対象コンテンツの
前記
を備える方法。
　　【請求項３６】
　不明瞭化することは，前記非保護対象コンテンツの複数の部分を複数の暗号メカニズムの少なくとも１つにより不明瞭化し，これにより前記保護対象コンテンツの複数の部分を定義することを更に含み，前記関連性を定義することは，前記保護対象コンテンツの前記複数の部分を，前記それぞれの部分の不明瞭化に用いられる前記複数の暗号メカニズムの前記対応する１つに関連付けることを更に含み，前記定義された関連性を送出することは，前記保護対象コンテンツの要求された部分へのアクセスを提供するように動作可能である前記ネットワーク装置へ送出することを更に含む請求項３５に記載の方法。
　　【請求項３７】
　データ格納装置識別子および保護対象コンテンツを含むメモリを備え，
　前記保護対象コンテンツは前記保護対象コンテンツの一部をアクセスするために前記データ格納装置識別子の受け取りに伴ってネットワーク装置から受け取る暗号メカニズムの少なくとも１つの参照符に基づいて非保護対象コンテンツに変換可能であり，ここにおいて前記暗号メカニズムの少なくとも前記参照符は前記格納装置識別子と
少なくとも前記参照符との間
前記
　　【請求項３８】
　前記コンピュータ可読格納媒体は，フラッシュメディアカード，コンパクトディスク(ＣＤ)，およびデジタルビデオディスク(ＤＶＤ)からなるグループから選択される請求項３７に記載のコンピュータ可読格納媒体。
　　【請求項３９】
　前記保護対象コンテンツは，ゲームアプリケーション，実行可能アプリケーション，テキストファイル，オーディオファイル，画像ファイル，ビデオファイルからなるグループから選択される請求項３７に記載のコンピュータ可読格納媒体。
　　【請求項４０】
　前記コンピュータ可読格納媒体は，着脱可能に固定され計算装置により読取可能な着脱可能非一時的コンピュータ可読格納媒体である請求項３７に記載のコンピュータ可読格納媒体。
　　【請求項４１】
　前記計算装置は，前記保護対象コンテンツを認識し，前記識別子を前記ネットワーク装置に伝達し，前記ネットワーク装置から前記暗号メカニズムを受け取り，前記暗号メカニズムを前記保護対象コンテンツに適用するように動作可能である請求項４０に記載のコンピュータ可読格納媒体。
　　【請求項４２】
　前記保護対象コンテンツは，コンテンツ識別子を各々有する複数の保護対象コンテンツを更に含む請求項３７に記載のコンピュータ可読格納媒体。
　　【請求項４３】
　前記複数の保護対象コンテンツの少なくとも一部は，それぞれのコンテンツ識別子を前記それぞれのコンテンツ識別子に対応する複数の暗号メカニズムの１つに応答する前記ネットワーク装置に伝達することにより非保護対象コンテンツに変換可能である請求項４２に記載のコンピュータ可読格納媒体。
　　【請求項４４】
　前記メモリは非保護対象コンテンツを更に備え，前記非保護対象コンテンツはプレビューコンテンツを含む請求項３７に記載のコンピュータ可読格納媒体。
　　【請求項４５】
　前記メモリは非保護対象コンテンツを更に備え，前記非保護対象コンテンツは限定使用コンテンツを含む請求項３７に記載のコンピュータ可読格納媒体。」
　
（２）本件補正前の特許請求の範囲
　本件補正前の，平成２９年９月１２日にされた手続補正により補正された特許請求の範囲の請求項１乃至４５の記載は次のとおりである。（以下，この特許請求の範囲に記載された請求項を「補正前の請求項」という。）
　
「　　【請求項１】
　格納装置識別子および保護対象コンテンツを含む格納装置をアクティブにする複数の計算装置のための方法であって，前記格納装置識別子は前記格納装置を識別するもので，前記方法は，
　前記格納装置識別子をネットワーク装置へ送出し，
　前記保護対象コンテンツの一部をアクセスするための暗号メカニズムの少なくとも参照符を前記ネットワーク装置から受け取り，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに送出されるものである，
　前記暗号メカニズムで前記保護対象コンテンツの少なくとも一部をアクセスすることを備える方法。
　　【請求項２】
　前記暗号メカニズムでアクセスした前記一部とは異なる前記保護対象コンテンツの少なくとも１つの別の部分をアクセスするためのリクエストで，前記計算装置に関連付けられた計算装置識別子および前記格納装置識別子の少なくとも一方を含むリクエストを前記ネットワーク装置へ送出し，
　前記格納装置識別子と前記計算装置識別子の少なくとも一方との関連性に基づいて，前記保護対象コンテンツの少なくとも前記別の部分に対応する少なくとも１つの別の暗号メカニズムの少なくとも１つの参照符を前記ネットワーク装置から受け取り，
　前記別の暗号メカニズムで前記保護対象コンテンツの少なくとも前記別の部分をアクセスすることを更に備える請求項１に記載の方法。
　　【請求項３】
　前記暗号メカニズムの参照符の受取前に支払情報を提供することを更に備え，ここで前記支払情報が前記保護対象コンテンツの少なくとも前記一部をアクセスするための支払いに対応する請求項１に記載の方法。
　　【請求項４】
　前記別の暗号メカニズムの参照符の受取前に支払情報を提供することを更に備え，ここで前記支払情報が前記保護対象コンテンツの少なくとも前記別の部分をアクセスするための支払いに対応する請求項２に記載の方法。
　　【請求項５】
　前記ネットワーク装置から前記暗号メカニズムの少なくとも前記参照符を受け取ることが更に前記格納装置の利用可能性についての確認に基づく請求項１に記載の方法。
　　【請求項６】
　前記格納装置の利用可能性についての前記確認は，前記格納装置識別子と前記格納装置を含めた入手取引との間の関連性に基づく請求項５に記載の方法。
　　【請求項７】
　前記ネットワーク装置へ計算装置識別子を送出することを更に備え，前記計算装置識別子が前記計算装置に関連付けられ，前記ネットワーク装置から前記暗号メカニズムの少なくとも前記参照符を受け取ることは前記計算装置で前記計算装置識別子との関連性に基づく受け取りを更に含む請求項１に記載の方法。
　　【請求項８】
　前記ネットワーク装置へ別の計算装置識別子を送出することを更に備え，前記別の計算装置識別子が別の計算装置に関連付けられ，前記ネットワーク装置から前記暗号メカニズムの少なくとも前記参照符を受け取ることは前記別の計算装置で前記別の計算装置識別子との関連性に基づく受け取りを更に含む請求項７に記載の方法。
　　【請求項９】
　前記暗号メカニズムの少なくとも前記参照符を受け取ることは，前記暗号メカニズムの受け取りを更に含む請求項１に記載の方法。
　　【請求項１０】
　前記保護対象コンテンツは，所定の暗号メカニズムで不明瞭化されたコンテンツを含む請求項１に記載の方法。
　　【請求項１１】
　前記格納装置は非保護対象コンテンツを更に含む請求項１に記載の方法。
　　【請求項１２】
　前記非保護対象コンテンツをアクセスするステップを更に備え，前記非保護対象コンテンツはプレビューコンテンツを含む請求項１１に記載の方法。
　　【請求項１３】
　前記非保護対象コンテンツをアクセスするステップを更に備え，前記非保護対象コンテンツは限定使用コンテンツを含む請求項１１に記載の方法。
　　【請求項１４】
　前記非保護対象コンテンツをアクセスするステップは，更に前記計算装置に関連付けされた限定使用コンテンツであるとして前記限定使用コンテンツを定義する請求項１３に記載の方法。
　　【請求項１５】
　格納装置識別子および保護対象コンテンツを含む格納装置をアクティブにする計算装置で使用するためコンピュータ可読格納媒体であって，前記格納装置識別子は前記格納装置を識別し，前記コンピュータ可読格納媒体は一連の命令を実体的に格納するもので，
　これら一連の命令が実行時に前記計算装置のコンピュータに，
　前記格納装置識別子をネットワーク装置へ送出するアクションと，
　前記保護対象コンテンツの一部をアクセスするための暗号メカニズムの少なくとも１つの参照符を前記ネットワーク装置から受け取るアクションと，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに送出されるものである，
　前記暗号メカニズムで前記保護対象コンテンツの前記一部をアクセスするアクションとを行わせるコンピュータ可読格納媒体。
　　【請求項１６】
　格納装置識別子および保護対象コンテンツを含む格納装置をアクセスするための少なくとも１つのプロセッサであって，
　前記格納装置識別子は前記格納装置を識別するもので，
　前記格納装置識別子をネットワーク装置へ送出するアクションと，
　前記保護対象コンテンツの一部をアクセスするための暗号メカニズムの少なくとも１つの参照符を前記ネットワーク装置から受け取るアクションと，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに送出されるものである，
　前記暗号メカニズムで前記保護対象コンテンツの前記一部をアクセスするアクションとを行うように構成される少なくとも１つのプロセッサ。
　　【請求項１７】
　格納装置識別子および保護対象コンテンツを含む格納装置をアクティブにする無線装置であって，前記格納装置識別子は前記格納装置を識別するもので，
　前記格納装置識別子をネットワーク装置へ送出する手段と，
　前記保護対象コンテンツの一部をアクセスするための暗号メカニズムの少なくとも１つの参照符を前記ネットワーク装置から受け取る手段と，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに送出されるものである，
　前記暗号メカニズムで前記保護対象コンテンツの前記一部をアクセスする手段と
を備える無線装置。
　　【請求項１８】
　格納装置識別子および保護対象コンテンツを含む格納装置をアクティブにする計算装置であって，前記格納装置識別子は前記格納装置を識別するもので，前記計算装置は，
　処理エンジンと，
　前記処理エンジンにより実行可能なコンテンツアクセス開始モジュールと
　を備え，前記コンテンツアクセス開始モジュールが，前記格納装置に格納された前記保護対象コンテンツを認識し，ネットワーク装置に前記格納装置識別子を伝達し，前記保護対象コンテンツの一部をアクセスするための第１の暗号メカニズムの少なくとも１つの参照符を前記ネットワーク装置から受け取り，前記第１の暗号メカニズムを前記保護対象コンテンツの前記一部に適用して前記保護対象コンテンツの前記一部を非保護対象コンテンツの一部に変換するように動作可能であり，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに伝達されるものである，計算装置。
　　【請求項１９】
　前記コンテンツアクセス開始モジュールとの通信で各々格納される前記格納装置識別子および前記第１の暗号メカニズムを更に備え，前記コンテンツアクセス開始モジュールは，更に前記格納装置識別子を前記ネットワーク装置に無線で伝達し，前記格納装置識別子に関連付けられた前記第１の暗号メカニズムの少なくとも前記参照符を前記ネットワーク装置から無線で受け取るように動作可能である請求項１８に記載の計算装置。
　　【請求項２０】
　前記計算装置に関連付けられた計算装置識別子を更に備え，前記コンテンツアクセス開始モジュールは更に前記計算装置識別子および前記格納装置識別子を前記ネットワーク装置に伝達するように動作可能であり，前記第１の暗号メカニズムの少なくとも前記参照符は前記計算装置識別子と前記格納装置識別子との間における所定の関連性に対応する請求項１８に記載の計算装置。
　　【請求項２１】
　前記格納装置は前記計算装置と着脱可能に通信する請求項１８に記載の計算装置。
　　【請求項２２】
　前記格納装置は非保護対象コンテンツを更に備え，前記非保護対象コンテンツはプレビューコンテンツを含む請求項２１に記載の計算装置。
　　【請求項２３】
　前記格納装置は非保護対象コンテンツを更に備え，前記非保護対象コンテンツは限定使用コンテンツを含む請求項２１に記載の計算装置。
　　【請求項２４】
　前記限定使用コンテンツは前記計算装置に関連付けられる請求項２３に記載の計算装置。
　　【請求項２５】
　前記格納装置は，フラッシュメディアカード，コンパクトディスク(ＣＤ)，およびデジタルビデオディスク(ＤＶＤ)からなるグループから選択される請求項２１に記載の計算装置。
　　【請求項２６】
　前記保護対象コンテンツは複数の暗号メカニズムの１つに各々対応する複数の保護対象コンテンツ部分を備え，前記アクセス開始モジュールは，前記複数の保護対象コンテンツ部分の少なくとも１つに対応する前記複数の暗号メカニズムの少なくとも１つを受け取るように動作可能である請求項２１に記載の計算装置。
　　【請求項２７】
　前記コンテンツアクセス開始モジュールとの通信で格納される前記第１の暗号メカニズムおよび第２の暗号メカニズムを更に備え，前記保護対象コンテンツは前記保護対象コンテンツ部分および別の保護対象コンテンツ部分を含み，前記アクセス開始モジュールは，前記第２の暗号メカニズムを少なくとも前記別の保護対象コンテンツ部分に適用して前記別の保護対象コンテンツ部分を別の非保護対象コンテンツ部分に変換するように動作可能である請求項１８に記載の計算装置。
　　【請求項２８】
　支払情報を持つメモリを更に備え，前記コンテンツアクセス開始モジュールは，更に前記第２の暗号メカニズムと引き換えに前記支払情報を前記ネットワーク装置へ送出するように動作可能である請求項２７に記載の計算装置。
　　【請求項２９】
　前記計算装置は無線ネットワーク上で動作可能な無線装置を含む請求項１８に記載の計算装置。
　　【請求項３０】
　格納装置識別子および保護対象コンテンツを含む格納装置をアクティブにする計算装置にリンクされるネットワーク装置であって，前記格納装置識別子は前記格納装置を識別するもので，
　処理エンジンと，
　前記処理エンジンによって実行される私用化モジュールとを備え，前記私用化モジュールが，前記計算装置から前記格納装置識別子を受け取り，前記格納装置識別子との予め定義された関連性に基づいて，前記保護対象コンテンツの一部をアクセスするための暗号メカニズムの少なくとも１つの参照符を決定し，前記暗号メカニズムの少なくとも１つの参照符を前記計算装置に伝達するように動作可能であり，ここにおいて前記格納装置識別子は前記保護対象コンテンツの一部を識別せずに受け取られるものである，ネットワーク装置。
　　【請求項３１】
　前記私用化モジュールと通信するネットワークデータベースを更に備え，前記ネットワークデータベースが，前記暗号メカニズムの少なくとも前記参照符に関連付けられた前記格納装置識別子を含む請求項３０に記載のネットワーク装置。
　　【請求項３２】
　前記ネットワークデータベースは複数の暗号メカニズムに関連付けられた前記保護対象コンテンツの複数の部分の識別情報を更に含み，前記保護対象コンテンツの前記複数の部分は更に前記格納装置識別子に関連付けられ，前記私用化モジュールは更に前記保護対象コンテンツの前記複数の部分の１つの識別情報を受け取るように動作可能であり，前記暗号メカニズムの前記参照符は前記保護対象コンテンツの前記複数の部分の前記識別された１つに対応する前記複数の暗号メカニズムの前記１つの参照符を更に含む請求項３１に記載のネットワーク装置。
　　【請求項３３】
　前記ネットワークデータベースは前記格納装置識別子に関連付けられた計算装置識別子を更に含み，前記私用化モジュールは更に前記計算装置が前記計算装置識別子に対応する場合に前記暗号メカニズムの少なくとも前記参照符を前記計算装置に伝達するように動作可能である請求項３１に記載のネットワーク装置。
　　【請求項３４】
　前記ネットワークデータベースは前記格納装置識別子に関連付けられた入手情報を更に含み，前記私用化モジュールは更に前記計算装置が前記入手情報に関連付けられている場合に前記暗号メカニズムの少なくとも前記参照符を前記計算装置に伝達するように動作可能な請求項３１に記載のネットワーク装置。
　　【請求項３５】
　格納装置識別子を含む格納装置を配布可能にする装置のための方法であって，前記格納装置は計算装置と着脱可能に通信するように構成されるもので，
　前記格納装置に非保護対象コンテンツをロードし，
　前記非保護対象コンテンツの少なくとも一部を暗号メカニズムの少なくとも１つの参照符により不明瞭化し，これにより保護対象コンテンツの一部を定義し，
　前記格納装置識別子と前記暗号メカニズムの少なくとも１つの参照符との間の関連性を定義し，
　前記保護対象コンテンツの一部を識別しない前記格納装置識別子の受け取りに応じて前記保護対象コンテンツの前記一部へのアクセスのための前記暗号メカニズムの少なくとも前記参照符を前記計算装置に提供するように動作可能なネットワーク装置へ前記定義された関連性を送出すること
を備える方法。
　　【請求項３６】
　不明瞭化することは，前記非保護対象コンテンツの複数の部分を複数の暗号メカニズムの少なくとも１つにより不明瞭化し，これにより前記保護対象コンテンツの複数の部分を定義することを更に含み，前記関連性を定義することは，前記保護対象コンテンツの前記複数の部分を，前記それぞれの部分の不明瞭化に用いられる前記複数の暗号メカニズムの前記対応する１つに関連付けることを更に含み，前記定義された関連性を送出することは，前記保護対象コンテンツの要求された部分へのアクセスを提供するように動作可能である前記ネットワーク装置へ送出することを更に含む請求項３５に記載の方法。
　　【請求項３７】
　データ格納装置識別子および保護対象コンテンツを含むメモリを備え，
　前記保護対象コンテンツは前記保護対象コンテンツの一部をアクセスするために前記データ格納装置識別子の受け取りに伴ってネットワーク装置から受け取る暗号メカニズムの少なくとも１つの参照符に基づいて非保護対象コンテンツに変換可能であり，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに受け取られるものである，コンピュータ可読格納媒体。
　　【請求項３８】
　前記コンピュータ可読格納媒体は，フラッシュメディアカード，コンパクトディスク(ＣＤ)，およびデジタルビデオディスク(ＤＶＤ)からなるグループから選択される請求項３７に記載のコンピュータ可読格納媒体。
　　【請求項３９】
　前記保護対象コンテンツは，ゲームアプリケーション，実行可能アプリケーション，テキストファイル，オーディオファイル，画像ファイル，ビデオファイルからなるグループから選択される請求項３７に記載のコンピュータ可読格納媒体。
　　【請求項４０】
　前記コンピュータ可読格納媒体は，着脱可能に固定され計算装置により読取可能な着脱可能非一時的コンピュータ可読格納媒体である請求項３７に記載のコンピュータ可読格納媒体。
　　【請求項４１】
　前記計算装置は，前記保護対象コンテンツを認識し，前記識別子を前記ネットワーク装置に伝達し，前記ネットワーク装置から前記暗号メカニズムを受け取り，前記暗号メカニズムを前記保護対象コンテンツに適用するように動作可能である請求項４０に記載のコンピュータ可読格納媒体。
　　【請求項４２】
　前記保護対象コンテンツは，コンテンツ識別子を各々有する複数の保護対象コンテンツを更に含む請求項３７に記載のコンピュータ可読格納媒体。
　　【請求項４３】
　前記複数の保護対象コンテンツの少なくとも一部は，それぞれのコンテンツ識別子を前記それぞれのコンテンツ識別子に対応する複数の暗号メカニズムの１つに応答する前記ネットワーク装置に伝達することにより非保護対象コンテンツに変換可能である請求項４２に記載のコンピュータ可読格納媒体。
　　【請求項４４】
　前記メモリは非保護対象コンテンツを更に備え，前記非保護対象コンテンツはプレビューコンテンツを含む請求項３７に記載のコンピュータ可読格納媒体。
　　【請求項４５】
　前記メモリは非保護対象コンテンツを更に備え，前記非保護対象コンテンツは限定使用コンテンツを含む請求項３７に記載のコンピュータ可読格納媒体。」
　
２　補正の適否
　
　本件補正は，願書に最初に添付した明細書，特許請求の範囲又は図面に記載した事項の範囲内においてなされており，特許法第１７条の２第３項の規定に適合している。
　また，本件補正は，特別な技術的特徴を変更（シフト補正）をしようとするものではなく，特許法第１７条の２第４項の規定に適合している。
　そして，本件補正は，補正前の請求項１に記載された発明を特定するために必要な事項である「参照符」，「予め定義された関連性」について，上記のとおり限定を付加することを含むものであって，補正前の請求項１に記載された発明と補正後の請求項１に記載される発明の産業上の利用分野及び解決しようとする課題が同一であるから，特許法１７条の２第５項２号の特許請求の範囲の減縮を目的とするものに該当する。
　そこで，補正後の請求項１に記載される発明（以下「本件補正発明」という。）が同条第６項において準用する同法第１２６条第７項の規定に適合するか（特許出願の際独立して特許を受けることができるものであるか）について，以下，検討する。
　
（１）本件補正発明
　
　本件補正発明は，上記平成３０年３月２０日付けの手続補正により補正された特許請求の範囲，明細書及び図面の記載からみて，その特許請求の範囲の請求項１に記載された以下のとおりのものと認める。
　
「　　【請求項１】
　格納装置識別子および保護対象コンテンツを含む格納装置をアクティブにする複数の計算装置のための方法であって，前記格納装置識別子は前記格納装置を識別するもので，前記方法は，
　前記格納装置識別子をネットワーク装置へ送出し，
　前記保護対象コンテンツの一部をアクセスするための暗号メカニズムの少なくとも１つの参照符を前記ネットワーク装置から受け取り，ここにおいて前記暗号メカニズムの少なくとも前記参照符は前記格納装置識別子と少なくとも前記参照符との間の予め定義された関連性に基づいて前記ネットワーク装置によって決定され，ここにおいて前記格納装置識別子は前記保護対象コンテンツの前記一部を識別せずに送出されるものである，
　前記暗号メカニズムで前記保護対象コンテンツの前記一部をアクセスすることを備える方法。」
　
（２）引用例
　
（２−１）引用例１に記載されている技術的事項および引用発明
　
ア　本願の優先日前に頒布又は電気通信回線を通じて公衆に利用可能となり，原審の拒絶査定の理由である平成２９年３月９日付けの拒絶理由通知において引用された，米国特許第６８３２３１８号明細書（２００４年１２月１４日公開，以下，「引用例１」という。）には，以下の技術的事項が記載されている。
　（当審注：下線は，参考のために当審で付与したものである。）
Ａ　「A central access control system creates distribution CDs using an embedded data encryption process. A disc ID is also encrypted and recorded on each disc of each set of distribution CDs. The central access control system records the disc IDs and a remote location access rights list (ARL). A list of unique remote location IDs are also stored. The distribution CDs are delivered to one or more remote locations equipped with an information access system that includes its unique remote location ID a CD reader with an embedded decryption system, and a communication link to the central access control system. The information access system can send the disc ID and its unique remote location ID as an access request to the central access control system. If the access control system is able to verify and grant the request, a unique decryption key will be sent to access the particular distribution CD currently contained in the information access system. The unique remote location ID of each information access system is a public encryption key and the central access control system encrypts the distribution CD's decryption key using the requesting information access system's public key. If the central access control system is unable to verify or grant the request, an attempted security breach alert is triggered.」（１頁ＡＢＳＴＲＡＣＴ）
　当審仮訳；　「中央アクセス制御システムが埋め込みのデータ暗号化プロセスを使って配布ＣＤを作成する。ディスクＩＤもまた暗号化されて，そして配布ＣＤのそれぞれのセットのそれぞれのディスクに記録される。中央アクセス制御システムはディスクＩＤとリモート・ロケーション・アクセス権リスト（ＡＲＬ）を記録する。ユニークなリモート・ロケーションＩＤのリストが同じくストアされる。配布ＣＤは中央アクセス制御システムへの通信リンクと埋め込みの解読システムを備えたＣＤリーダーとユニークなリモート・ロケーションＩＤを含む情報アクセスシステムとが設置された１又はそれ以上のリモート・ロケーションに配送される。情報アクセスシステムはアクセスリクエストとして中央のアクセス制御システムにディスクＩＤとそのユニークなリモート・ロケーションＩＤを送ることができる。もしアクセス制御システムがリクエストを照合して，そして許可することが可能であるなら，ユニークな解読キーが現時点で情報アクセスシステムに保有される特定の配布ＣＤにアクセスするために送信されるであろう。それぞれの情報アクセスシステムのユニークなリモートロケーションＩＤは公開暗号化キーであり中央のアクセス制御システムはリクエストしている情報アクセスシステムの公開キーを使って配布ＣＤの解読キーを暗号化する。もし中央アクセス制御システムがリクエストを照合するか，あるいは許可することができないなら，未遂のセキュリティー違反の警告が引き起こされる。」
　
Ｂ　「Turning to FIG. 1 , the present invention provides a central access control system 100 that can copy sensitive information from a master set of one or more CDs and records the information on distribution CDs 120 using an embedded data encryption process. In a preferred embodiment, the central access control system 100 includes a database system (not pictured), a multi-disc CDR duplicator 110 , and 
a bi-lateral communication device
 In addition to the encrypted data, 
unique disc identification information 200 (of FIG. 2 ) is also recorded on each disc of each set of distribution CDs 120 .
 
The central access control system 100 records, in a database, the disc identification information 200 of each disc of each set of distribution CDs 120 and a remote location access rights list (ARL). In addition, a list of unique remote location identification numbers are stored in the central access-control database. The disc identification information 200 of each CD is correlated with the intended recipient remote location.
 A distribution CD set 120 is physically delivered to each remote location requiring access to the recorded information. Each remote location is equipped with an information access system 130 , 140 , 150 that includes its unique remote location identification number, a CD reader with an embedded decryption system, and a bilateral communication link 132 , 142 , 152 to the central access control system 100 .
 
When a user wishes to access the information, he logs into an information access system 130 , 140 , 150 using his unique user-identification and password pair. The information access system 130 , 140 , 150 then reads the disc identification information 200 and sends its unique remote location identification number and the disc identification information 200 as an access request to the central access control system 100 via the bilateral communication link 132 , 142 , 152 .
grant the request based on the ARL, the central access control system 100 will send the requesting information access system 130 , 140 , 150 a unique decryption key to access the particular distribution CD 120 currently contained in the information access system 130 , 140 , 150 .
 Note that in a preferred embodiment, the unique remote location identification number of each information access system 130 , 140 , 150 will be a public encryption key and the central access control system 100 would encrypt the distribution CD's decryption key using the requesting information access system's 130 , 140 , 150 public key.
 If the central access control system 100 is unable to verify the request based on the database within the central access control system 100 , or if it is not supposed to grant the request based on the ARL, the central access control system 100 will not return the decryption key, and instead it will trigger an attempted security breach alert.
 If 
the distribution CD decryption key is sent, the information access system 130 , 140 , 150 will use it to decrypt the distribution CD and allow the user access to the sensitive information.
　当審仮訳；　「図１に転じて，この発明は１又はそれ以上ＣＤのマスターセットから機密情報を複写することができ，そして埋め込みのデータ暗号化プロセスを使って配布ＣＤ１２０にその情報を記録する中央アクセス制御システム１００を提供する。望ましい具体化で，中央アクセス制御システム１００がデータベースシステム（図示せず），マルチディスクのＣＤＲ複写機１１０とモデムやＴ１インタフェースのような
双方向通信装置
　暗号化されたデータのほかに，
（図２の）ユニークなディスクＩＤ情報２００が同じく配布ＣＤ１２０のそれぞれのセットのそれぞれのディスクに記録される。
　
中央アクセス制御システム１００は，データベースの中に，配布ＣＤのそれぞれのセット１２０のそれぞれのディスクのディスクＩＤ情報２００とリモートロケーションアクセス権リスト（ＡＲＬ）を記録している。加えて，ユニークなリモートロケーション識別番号のリストが中央アクセス制御データベースに記憶される。それぞれのＣＤのディスクＩＤ情報２００は予め決められた受信者リモートロケーションと関連づけられる。
　分配ＣＤセット１２０が物理的に記録情報へのアクセスを必要としているそれぞれのリモートロケーションに配達される。それぞれのリモートロケーションは中央アクセス制御システム１００にそのユニークなリモートロケーション識別番号，埋め込みの解読システムを持ったＣＤリーダーと双方向通信リンク１３２，１４２，１５２を含む情報アクセスシステム１３０，１４０，１５０を備えている。
　
ユーザが情報にアクセスすることを望むとき，彼は彼のユニークなユーザ識別記号とパスワードのペアを使って情報アクセスシステム１３０，１４０，１５０にログインする。それから，情報アクセスシステム１３０，１４０，１５０はディスクＩＤ情報２００を読取り，そして双方向の通信リンク１３２，１４２，１５２を経由してそのユニークなリモートロケーション識別番号とディスクＩＤ情報２００をアクセスリクエストとして中央アクセス制御システム１００に送る。
ＡＲＬに基づいてリクエストを認可できるなら，中央アクセス制御システム１００が情報アクセスシステム１３０，１４０，１５０で現在含まれた特定の配布ＣＤ１２０にアクセスするためにリクエストしている情報アクセスシステム１３０，１４０，１５０にユニークな解読キーを送る
　望ましい具体化で，それぞれの情報アクセスシステム１３０，１４０，１５０のユニークなリモートロケーション識別番号が公開暗号化キーであり，そして中央アクセス制御システム１００がリクエストしている情報アクセスシステム１３０，１４０，１５０の公開キーを使って分配ＣＤの解読キーを暗号化するであろうことに注意を払われたい。
　もし中央のアクセス制御システム１００がデータベースに基づいてリクエストを照合することができないなら，中央のアクセス制御システム１００の中で，あるいはもしそれがそうであるなら，ＡＲＬに基づいてリクエストに応じるはずはなく，中央のアクセス制御システム１００は解読キーを返さず，そしてその代わりにそれは未遂のセキュリティー違反の警告を引き起こすであろう。
　もし
配布ＣＤ解読キーが送られるなら，情報アクセスシステム１３０，１４０，１５０はそれを配布ＣＤを解読するために使用し，そして機密情報にユーザがアクセスすることを許可される
　
Ｃ　「Turning to FIG. 2 , a block diagram depicting a layout of an embodiment of the disc identification information 200 of the present invention is provided.
 …（中略）… 
 there are 16 six bit words that are used for 
disc ID numbers
Serial numbers
 Using the SCSI-3 [WRITE PARAMETER]command, 
the Volume numbers
the disc ID numbers
the Serial numbers
　当審仮訳；　「図２に転じると，現在の発明のディスクＩＤ情報２００の具体化のレイアウトを描写しているブロック図が提供される。
 …（中略）… 
　ディスクＩＤ情報２００の
ディスクＩＤナンバー
シリアルナンバー
　ＳＣＳＩ−３［書き込みパラメータ］コマンドを使って，
ボリュームナンバー
ディスクＩＤナンバー
シリアルナンバー
 　 
Ｄ　「Turning to FIG. 3 , a flow chart depicting the steps of an example embodiment of 
a method of securely distributing data-on a fixed media
In Step S 2 , the encrypted data is: recorded to the distribution CD sets 120 also using the multi-disc CDR duplicator 110 . In Step S 3 , the disc identification information 200 is written to the distribution CDs 120 .
 In Step S 6 , 
at a remote location, a distribution CD 120 is loaded into an information access system 130 . In Step 57 , a user logs into the information access system 130 . In Step S 8 , the disc identification information 200 is read by the information access system 130 from the distribution CD 120 .
 In Step 10 , 
the information access system 130 requests the decryption key by transmitting its remote location identification number (a public key) and the disc identification information 200 to the central access control system 100 via the bi-lateral communications link 132 .
 In Step S 13 , 
the requested decryption key is itself encrypted using the remote location identification number of the requester as a public key. In Step S 14 , the encrypted decryption key is transmitted to the requesting information access system 130 via the bi-lateral communication link 132 by the central access control system 100 .
the encrypted decryption key is received by the information access system 130 
Finally,
the distribution CD 120 is decrypted.
　当審仮訳；　「図３に転じると，
安全に固定媒体のデータを配布する方法
ステップＳ２で，暗号化されたデータは：同じくマルチディスクのＣＤＲ複写機１１０を使って配布ＣＤセット１２０に記録される。ステップＳ３で，ディスクＩＤ情報２００は配布ＣＤ１２０に書込まれる。
　ステップＳ６で，
リモートロケーションにおいて，配布ＣＤ１２０が情報アクセスシステム１３０にロードされる。ステップＳ７で，ユーザが情報アクセスシステム１３０にログインする。ステップＳ８で，ディスクＩＤ情報２００は配布ＣＤ１２０から情報アクセスシステム１３０によって読取られる。
　ステップ１０で，
情報アクセスシステム１３０が，そのリモートロケーション識別番号（公開キー）とディスクＩＤ情報２００を双方向の通信リンク１３２を経由して中央アクセス制御システム１００へ送信することによって解読キーをリクエストする。
　ステップＳ１３で，
リクエストされた解読キーはリクエスト元のリモートロケーション識別番号を公開キーとして用いてそれ自身暗号化される。ステップＳ１４で，暗号化された解読キーは中央アクセス制御システム１００によって双方向通信リンク１３２を介してリクエストしている情報アクセスシステム１３０に送信される。
暗号化された解読キーが情報アクセスシステム１３０によって受信される
最終的に，
配布ＣＤ１２０は解読される。
　
イ　ここで，引用例１に記載されている事項を検討する。
　
（ア）上記Ｄの「ステップＳ２で，暗号化されたデータは：同じくマルチディスクのＣＤＲ複写機１１０を使って配布ＣＤセット１２０に記録される。ステップＳ３で，ディスクＩＤ情報２００は配布ＣＤ１２０に書込まれる」との記載から，“ディスクＩＤ情報と暗号化されたデータとが記録された配布ＣＤセット”を読み取ることができ，上記Ｂの「ユーザが情報にアクセスすることを望むとき，彼は彼のユニークなユーザ識別記号とパスワードのペアを使って情報アクセスシステム１３０，１４０，１５０にログインする。それから，情報アクセスシステム１３０，１４０，１５０はディスクＩＤ情報２００を読取り，そして双方向の通信リンク１３２，１４２，１５２を経由してそのユニークなリモートロケーション識別番号とディスクＩＤ情報２００をアクセスリクエストとして中央アクセス制御システム１００に送る。」との記載によれば，複数の情報アクセスシステム（１３０，１４０，１５０）のそれぞれにおいて配布ＣＤを読み取らせることができ前記複数の情報アクセスシステムのユニークなリモートロケーション識別番号のそれぞれとディスクＩＤ情報２００のセットを用いてアクセスリクエストできることから“複数の情報アクセスシステムのため”を読み取ることができ，上記Ｄにも同様に「リモートロケーションにおいて，配布ＣＤ１２０（配布ＣＤセット１２０）が情報アクセスシステム１３０にロードされる。ステップＳ７で，ユーザが情報アクセスシステム１３０にログインする。ステップＳ８で，ディスクＩＤ情報２００は配布ＣＤ１２０から情報アクセスシステム１３０によって読取られる。」と記載され，ユーザが複数の情報アクセスシステムを所有して１つの配布ＣＤセットをそれぞれの複数の情報アクセスシステムにロードして利用することが排除される理由はなく，上記Ｄには図３に関連し，「安全に固定媒体のデータを配布する方法」との記載があることから，以上を総合すると，引用例１には，
“ディスクＩＤ情報と暗号化されたデータとが記録された配布ＣＤセットが情報アクセスシステムにロードされ，ユーザが複数の情報アクセスシステムに対してログインすることができ，ディスクＩＤ情報は配布ＣＤから情報アクセスシステムによって読取られるステップを含む，複数の情報アクセスシステムのための安全に固定媒体のデータを配布する方法”
が記載されていると解される。
　
（イ）上記（ア）で言及した上記Ｂの「情報アクセスシステム１３０，１４０，１５０はディスクＩＤ情報２００を読取り」，「そのユニークなリモートロケーション識別番号とディスクＩＤ情報２００をアクセスリクエストとして中央アクセス制御システム１００に送る」との記載，上記Ｄの「情報アクセスシステム１３０が，そのリモートロケーション識別番号（公開キー）とディスクＩＤ情報２００を双方向の通信リンク１３２を経由して中央アクセス制御システム１００へ送信することによって解読キーをリクエストする」との記載からすると，引用例１には，
“情報アクセスシステムが，情報アクセスシステムのリモートロケーション識別番号とディスクＩＤ情報を中央アクセス制御システムへ送信する”こと
が記載されていると解される。
　
（ウ）上記Ｂの「中央アクセス制御システム１００は，データベースの中に，配布ＣＤのそれぞれのセット１２０のそれぞれのディスクのディスクＩＤ情報２００とリモートロケーションアクセス権リスト（ＡＲＬ）を記録している。加えて，ユニークなリモートロケーション識別番号のリストが中央アクセス制御データベースに記憶される。それぞれのＣＤのディスクＩＤ情報２００は予め決められた受信者リモートロケーションと関連づけられる。」との記載において，当該「ディスクＩＤ情報２００は予め決められた受信者リモートロケーションと関連づけられる」とは具体的な操作において「ディスクＩＤ情報」とユニークなリモートロケーション識別番号との関連により「受信者リモートロケーション」が関連づけられると解されることから，“中央アクセス制御システムにおいて，ＡＲＬに基づいて配布ＣＤのセットのディスクＩＤ情報とリモートロケーションを示すユニークなリモートロケーション識別番号とが関連づけられる”ことを読み取ることができる。また，上記Ｂの「ＡＲＬに基づいてリクエストを認可できるなら，中央アクセス制御システム１００が情報アクセスシステム１３０，１４０，１５０で現在含まれた特定の配布ＣＤ１２０にアクセスするためにリクエストしている情報アクセスシステム１３０，１４０，１５０にユニークな解読キーを送る」との記載，上記Ｄの「リクエストされた解読キーはリクエスト元のリモートロケーション識別番号を公開キーとして用いてそれ自身暗号化される。ステップＳ１４で，暗号化された解読キーは中央アクセス制御システム１００によって双方向通信リンク１３２を介してリクエストしている情報アクセスシステム１３０に送信される」，「暗号化された解読キーが情報アクセスシステム１３０によって受信される」との記載から，“ＡＲＬに基づいてリクエストを認可できるなら，情報アクセスシステムで現在含まれた特定の配布ＣＤにアクセスするためにリクエストしている情報アクセスシステムにリクエスト元のリモートロケーション識別番号を公開キーとして暗号化したユニークな解読キーが中央アクセス制御システムから送信され情報アクセスシステムによって受信される”ことを読み取ることができる。
　これらを併せると，引用例１には，
“中央アクセス制御システムにおいて，ＡＲＬに基づいて配布ＣＤのセットのディスクＩＤ情報とリモートロケーションを示すユニークなリモートロケーション識別番号とが関連づけられ，ＡＲＬに基づいてリクエストを認可できるなら，情報アクセスシステムで現在含まれた特定の配布ＣＤにアクセスするためにリクエストしている情報アクセスシステムにリクエスト元のリモートロケーション識別番号を公開キーとして暗号化したユニークな解読キーが中央アクセス制御システムから送信され情報アクセスシステムによって受信される”こと
が記載されていると解される。
　
（エ）上記（ア）で言及した「配布ＣＤセット１２０に記録される」「暗号化されたデータ」における暗号化の逆操作であることが自明である「解読」に関し，上記Ｂの「配布ＣＤ解読キーが送られるなら，情報アクセスシステム１３０，１４０，１５０はそれを配布ＣＤを解読するために使用し，そして機密情報にユーザがアクセスすることを許可される」との記載，上記Ｄの「最終的に，」「配布ＣＤ１２０は解読される」との記載からすると，引用例１には，
“配布ＣＤセットに記録された暗号化されたデータを解読する配布ＣＤ解読キーが送られると，情報アクセスシステムは配布ＣＤ解読キーを配布ＣＤを解読するために使用して機密情報にユーザがアクセスする”こと
が記載されていると解される。
　
ウ　以上，（ア）乃至（エ）の検討によれば，引用例１には次の発明（以下，「引用発明」という。）が記載されているものと認める。
　
「ディスクＩＤ情報と暗号化されたデータとが記録された配布ＣＤセットが情報アクセスシステムにロードされ，ユーザが複数の情報アクセスシステムに対してログインすることができ，前記ディスクＩＤ情報は前記配布ＣＤから前記情報アクセスシステムによって読取られるステップを含む，前記複数の情報アクセスシステムのための安全に固定媒体のデータを配布する方法であって，前記方法は，
　前記情報アクセスシステムが，前記情報アクセスシステムのリモートロケーション識別番号と前記ディスクＩＤ情報を中央アクセス制御システムへ送信し，
　前記中央アクセス制御システムにおいて，ＡＲＬに基づいて前記配布ＣＤのセットの前記ディスクＩＤ情報と前記リモートロケーションを示すユニークなリモートロケーション識別番号とが関連づけられ，前記ＡＲＬに基づいてリクエストを認可できるなら，前記情報アクセスシステムで現在含まれた特定の配布ＣＤにアクセスするためにリクエストしている前記情報アクセスシステムにリクエスト元の前記リモートロケーション識別番号を公開キーとして暗号化したユニークな解読キーが前記中央アクセス制御システムから送信され前記情報アクセスシステムによって受信され，
　前記配布ＣＤセットに記録された前記暗号化されたデータを解読する配布ＣＤ解読キーが送られると，前記情報アクセスシステムは前記配布ＣＤ解読キーを配布ＣＤを解読するために使用して機密情報に前記ユーザがアクセスすることを備える方法。」
　
（２−２）引用例２に記載されている技術的事項
　
　本願の優先日前に頒布又は電気通信回線を通じて公衆に利用可能となり，原審の拒絶査定の理由である平成２９年３月９日付けの拒絶理由通知において引用された，特開２００２−２７９１０２号公報（平成１４年９月２７日出願公開，以下，「引用例２」という。）には，以下の技術的事項が記載されている。
　（当審注：下線は，参考のために当審で付与したものである。）
　
Ｅ　「【００６５】すなわち，本実施形態においては，図１１に示すように，コンテンツ復号化鍵の配信依頼時には，利用者端末証明書と，コンテンツ識別子および記録媒体識別子（利用者端末秘密鍵を用いてデジタル署名を付加したもの）とが，利用者端末１０４から鍵配信サーバ１０２に送信され，
コンテンツ復号化鍵の配信時には，鍵配信サーバ証明書と，暗号化されたコンテンツ復号化鍵（鍵配信サーバ公開鍵を用いてデジタル署名を付加したもの）とが，鍵配信サーバ１０２から利用者端末１０４に送信される。
…（中略）…
【００７０】
また，本実施形態においては，１つのコンテンツに対して，該コンテンツを復号化するためのコンテンツ復号化鍵が１つであるものとしているが，１つのコンテンツを複数の部分コンテンツに分割し，各部分コンテンツに，異なるコンテンツ識別子およびコンテンツ復号化鍵を対応付けるようにしてもよい。
　
　したがって，上記引用例２には，「暗号化されたコンテンツの一部である部分コンテンツを復号化するために，一部の復号化鍵を配信する」という技術的事項が記載されていると認められる。
　
（２−３）引用例３に記載されている技術的事項
　
　本願の優先日前に頒布又は電気通信回線を通じて公衆に利用可能となり，原審の拒絶査定において引用された，特開２００４−３６２７２１号公報（平成１６年１２月２４日出願公開，以下，「引用例３」という。）には，以下の技術的事項が記載されている。
　（当審注：下線は，参考のために当審で付与したものである。）
　
Ｆ　「【００２４】
また，試聴データの作成方法として，符号化された音楽データのうち，一部のフレームのみを暗号化して，暗号化されていない部分を試聴データとすることも知られている。
　
　したがって，上記引用例３には，「音楽データ（コンテンツ）のうち，一部のフレームのみを暗号化して，暗号化されていない部分を試聴データとする」という技術的事項が記載されていると認められる。
　
（２−４）引用例４に記載されている技術的事項
　
　本願の優先日前に頒布又は電気通信回線を通じて公衆に利用可能となり，原審の拒絶査定の理由である平成２９年３月９日付けの拒絶理由通知において引用された，
芳尾太郎，“ディジタル著作権：小型メモリ・カードで音楽著作権を守る”，日経エレクトロニクス，日本，日経ＢＰ社，１９９９年　３月２２日，第７３９号，ｐ．４９−５３（以下，「引用例４」という。）
には，以下の技術的事項が記載されている。
　（当審注：下線は，参考のために当審で付与したものである。）
　
Ｇ　「図２　ＮＴＴと神戸製鋼所が開発した音楽配信システム「ＩｎｆｏＢｉｎｄ（仮称）」
配信/再生の手順は以下の通り。音楽配信サーバ（以下，配信サーバ）を管理する配信事業者は，あらかじめ共通鍵を使って音楽コンテンツを暗号化しておく。ユーザが，パソコンを使ってコンテンツを要求すると，（１）配信サーバは，要求された暗号化済のコンテンツをユーザのパソコンに接続した携帯型プレーヤ「ＳｏｌｉｄＡｕｄｉｏ」に送信する。（２）ユーザが決済に応じると同時に，コンテンツを記録したＳｍａｒｔＭｅｄｉａの識別番号を配信サーバに送信する。配信サーバは，（３）識別番号を使ってコンテンツの共通鍵を個別に暗号化し，（４）その鍵データをユーザに返す。ＳｏｌｉｄＡｕｄｉｏで再生するときは，（５）まず識別番号を利用して共通鍵を復号化する。この共通鍵でコンテンツを復号化し，再生する。
　
　したがって，上記引用例４には，「コンテンツが暗号化されてＳｍａｒｔＭｅｄｉａに記録され，ユーザから送信されたＳｍａｒｔＭｅｄｉａの識別番号に基づいて，ＳｍａｒｔＭｅｄｉａに記録されたコンテンツを復号化するための鍵データを生成する」という技術的事項が記載されていると認められる。
　
（２−５）引用例５に記載されている技術的事項
　
　本願の優先日前に頒布又は電気通信回線を通じて公衆に利用可能となり，原審の拒絶査定において引用された，特開２００２−３１２０５４号公報（平成１４年１０月２５日出願公開，以下，「引用例５」という。）には，以下の技術的事項が記載されている。
　（当審注：下線は，参考のために当審で付与したものである。）
　
Ｈ　「【０１１３】本発明の実施の形態によれば，１枚１枚の光ディスク等の記録媒体に対応して，ユーザ−デジタルコンテンツ間における相互の情報提供を可能にするシステムを提供することが出来る。
【０１１４】更に本発明の実施の形態によれば，ユーザＩＤ，機器ＩＤ及びディスクＩＤの認証管理を認証用サーバで行い，且つ認証用サーバと他の必要なコンテンツサーバとを結ぶネットワークシステムを適宜構築することにより，１枚１枚の光ディスク等の記録媒体に対応して，ユーザ−デジタルコンテンツ間における相互の情報提供を可能にするシステムを提供することが出来る。
【０１１５】
また，ディスクＩＤ（記録媒体ＩＤ），機器ＩＤ及びユーザＩＤのいずれか１つでディスクのステータスを特定できれば，そのＩＤのみにより認証処理を行うことも出来る。
　
　したがって，上記引用例５には，「コンテンツをアクセスするための認証処理を，記録媒体ＩＤ，機器ＩＤ，ユーザＩＤのいずれの１つ又は複数で行う」という技術的事項が記載されていると認められる。
　
（２−６）参考文献６に記載されている技術的事項
　
　本願の優先日前に頒布又は電気通信回線を通じて公衆に利用可能となった，特開２００３−２２４５５７号公報（平成１５年８月８日出願公開，以下，「参考文献６」という。）には，以下の技術的事項が記載されている。
　（当審注：下線は，参考のために当審で付与したものである。）
　
Ｊ　「【００３７】次に，管理センターは，受信記録再生装置１００から入力された認証データに含まれている受信記録再生装置のＩＤ他を検査する。この検査とは受信記録再生装置のＩＤがシステムに登録してあるものか，蓄積装置１１２が不正な機器として排除されているＩＤでないか等を検査するものである。
そして管理センターは，これらのデータに問題が無ければ任意の暗号鍵と対になる復号鍵を生成し，受信した受信記録再生装置１００のＩＤ，受信蓄積装置１１２のＩＤ，記録媒体のＩＤとこれら暗号鍵と復号鍵を図３に示すようなリスト化したデータとして管理センター内の記録媒体に記録する。そして暗号鍵データを受信機に対して送信する。
　
Ｋ　「【００４４】
入力処理部１０８は，ユーザからリストア指示が入力されるとバックアップ制御部１１０へ伝える。バックアップ制御部１１０は，まず管理センターと通信装置１０９を介してバックアップデータを復号するのに必要な復号鍵の取得要求を送信する。これに対して管理センターは，認証データを要求する信号を返信する。バックアップ制御部１１０は，要求された認証データを通信装置１０９を介して管理センターへ送信する。管理センターは，管理センターで記録していた図６に示す管理リストに受信記録再生装置１００側から送られた認証データが存在しているか確認する。受信記録再生装置１００のＩＤ，外部蓄積装置ＩＤ，記録媒体ＩＤを比較すると共に，リストア回数をチェックして，リストア可否の判定を行う。例えば受信記録再生装置１００のＩＤ，記録媒体ＩＤについては完全一致比較を行い，外部蓄積装置ＩＤについては不正機器として排除される機器でないことを判定する。この判定の結果がＯＫのとき管理センターの管理リスト中に組にして記録されている復号鍵を受信記録再生装置１００へ送信する。
　
　したがって，上記参考文献６には，「記録媒体などのＩＤと復号鍵とをリスト化したデータとして管理センター内の記録媒体に記録しておき，必要な復号鍵の取得要求に応じて，記録媒体などのＩＤについての比較を行い，ＯＫのとき管理センターの管理リスト中に組にして記録されている復号鍵を送信する」という技術的事項が記載されていると認められる。
　
（３）対比
　
ア　本件補正発明と引用発明とを対比する。
　
（ア）引用発明の「ディスクＩＤ情報」は，引用例１の上記Ｂに，「（図２の）ユニークなディスクＩＤ情報２００が同じく配布ＣＤ１２０のそれぞれのセットのそれぞれのディスクに記録される。」，上記Ｃに，「ボリュームナンバー」，「ディスクＩＤナンバー」，「シリアルナンバー」のレイアウトが記載されていることからみて，配布ＣＤセットのそれぞれのＣＤは個別に識別できるものであり，ＣＤは暗号化データなどを記憶する「格納装置」とみることができるとともに「ディスクＩＤ情報」は文字通りディスクを識別する情報と解すことができる点を踏まえれば，前記「ディスクＩＤ情報」は本件補正発明の「格納装置識別子」に相当するといえる。また，引用発明の「暗号化されたデータ」，「複数の情報アクセスシステム」はそれぞれ，本件補正発明の「保護対象コンテンツ」，「複数の計算装置」に相当するといえる。さらに，引用発明の「配布ＣＤセット」は「情報アクセスシステムにロードされ」，「情報アクセスシステムによって読取られる」ことからすると，“アクティブ”にされることは自明である。 
　してみれば，引用発明の「ディスクＩＤ情報と暗号化されたデータとが記録された配布ＣＤセットが情報アクセスシステムにロードされ，ユーザが複数の情報アクセスシステムに対してログインすることができ，前記ディスクＩＤ情報は前記配布ＣＤから前記情報アクセスシステムによって読取られるステップを含む，前記複数の情報アクセスシステムのための安全に固定媒体のデータを配布する方法」と本件補正発明の「格納装置識別子および保護対象コンテンツを含む格納装置をアクティブにする複数の計算装置のための方法であって，前記格納装置識別子は前記格納装置を識別するもの」とに実質的な差異はない。
  
（イ）引用発明の「中央アクセス制御システム」は，引用例１の上記Ｂに，ネットワークに接続されることが自明の「双方向通信装置」を含むことが記載されている点を加味すれば，本件補正発明の「ネットワーク装置」とみることができる。
　よって，引用発明の「前記情報アクセスシステムが，前記情報アクセスシステムのリモートロケーション識別番号と前記ディスクＩＤ情報を中央アクセス制御システムへ送信」することと，本件補正発明の「前記格納装置識別子をネットワーク装置へ送出」することとに実質的な差異はない。
　
（ウ）引用発明の「中央アクセス制御システムにおいて」，「前記ディスクＩＤ情報と前記リモートロケーションを示すユニークなリモートロケーション識別番号とが関連づけられ」，「特定の配布ＣＤにアクセスするためにリクエストしている前記情報アクセスシステムにリクエスト元の前記リモートロケーション識別番号を公開キーとして暗号化したユニークな解読キー」についてその関連をみると，前記「ディスクＩＤ情報」と「リモートロケーション識別番号」とが関連づけられ，これらと「解読キー」とが関連づけられると共に，「解読キー」と「ディスクＩＤ情報と暗号化されたデータとが記録された配布ＣＤセット」とが「暗号化」，「解読」の暗号メカニズムの“関連性”で関連づけられていることは自明であるから，「中央アクセス制御システム」において，これらの“関連性”を介して「ディスクＩＤ情報」と暗号メカニズムの「解読キー」が関連づけられているといえる。 
　また，引用発明において，「解読キー」は「暗号化されたデータ」を解読してアクセスするために必要な参照情報であり，「ディスクＩＤ情報」は「情報アクセスシステム」により，「暗号化されたデータ」を識別せずに「中央アクセス制御システム」へ送出されることは明らかである。 
　そうすると，これらの点を加味すれば，引用発明の「解読キー」は本件補正発明の「参照符」に相当するといえる。
　よって，引用発明の「前記中央アクセス制御システムにおいて，ＡＲＬに基づいて前記配布ＣＤのセットの前記ディスクＩＤ情報と前記リモートロケーションを示すユニークなリモートロケーション識別番号とが関連づけられ，前記ＡＲＬに基づいてリクエストを認可できるなら，前記情報アクセスシステムで現在含まれた特定の配布ＣＤにアクセスするためにリクエストしている前記情報アクセスシステムにリクエスト元の前記リモートロケーション識別番号を公開キーとして暗号化したユニークな解読キーが前記中央アクセス制御システムから送信され前記情報アクセスシステムによって受信され」ることと，
　本件補正発明の「前記保護対象コンテンツの一部をアクセスするための暗号メカニズムの少なくとも１つの参照符を前記ネットワーク装置から受け取り，ここにおいて前記暗号メカニズムの少なくとも前記参照符は前記格納装置識別子と少なくとも前記参照符との間の予め定義された関連性に基づいて前記ネットワーク装置によって決定され，ここにおいて前記格納装置識別子は前記保護対象コンテンツの一部を識別せずに送出されるものである，」こととは，後記する点で相違するものの，
　上位概念において，“前記保護対象コンテンツをアクセスするための暗号メカニズムの少なくとも１つの参照符を前記ネットワーク装置から受け取り，ここにおいて前記暗号メカニズムの少なくとも前記参照符は前記格納装置識別子との関連性に基づいて前記ネットワーク装置によって決定され，ここにおいて前記格納装置識別子は前記保護対象コンテンツを識別せずに送出されるものである，”点で共通するといえる。 
　
（エ）上記（ウ）で言及したように，引用発明では，「ディスクＩＤ情報と暗号化されたデータ」と「解読キー」に係る「暗号化」及び「解読」の暗号メカニズムが前提であることは明らかである。
　そうすると，引用発明の「配布ＣＤセットに記録された暗号化されたデータを解読する配布ＣＤ解読キーが送られると，情報アクセスシステムは配布ＣＤ解読キーを配布ＣＤを解読するために使用して機密情報にユーザがアクセスする」ことと，本件補正発明の「前記暗号メカニズムで前記保護対象コンテンツの前記一部をアクセスすること」とは，後記する点で相違するものの，上位概念において，“前記暗号メカニズムで前記保護対象コンテンツをアクセスする”点で共通するといえる。
　
イ　以上から，本件補正発明と引用発明とは，以下の点で一致し，また，以下の点で相違する。
　
＜一致点＞　
　
「格納装置識別子および保護対象コンテンツを含む格納装置をアクティブにする複数の計算装置のための方法であって，前記格納装置識別子は前記格納装置を識別するもので，前記方法は，
　前記格納装置識別子をネットワーク装置へ送出し，
　前記保護対象コンテンツをアクセスするための暗号メカニズムの少なくとも１つの参照符を前記ネットワーク装置から受け取り，ここにおいて前記暗号メカニズムの少なくとも前記参照符は前記格納装置識別子との関連性に基づいて前記ネットワーク装置によって決定され，ここにおいて前記格納装置識別子は前記保護対象コンテンツを識別せずに送出されるものである，
　前記暗号メカニズムで前記保護対象コンテンツをアクセスすることを備える方法。」
　
＜相違点１＞
　保護対象コンテンツのアクセスに関し，本件補正発明が，暗号メカニズムで保護対象コンテンツの一部をアクセスするものであるのに対して，引用発明は，暗号メカニズムで保護対象コンテンツをアクセスするものの，保護対象コンテンツの一部についてそのようなアクセスをするものであるか不明である点。
　
＜相違点２＞
　保護対象コンテンツをアクセスするための参照符の決定に関し，本件補正発明は，保護対象コンテンツをアクセスするための「参照符」を「格納装置識別子と少なくとも前記参照符との間の予め定義された関連性に基づいて」決定するのに対して，引用発明は，保護対象コンテンツをアクセスするための参照符（解読キー）を，格納装置識別子（ディスクＩＤ情報）とリモートロケーション識別番号との関連づけに基づいて決定するものの，「格納装置識別子と少なくとも前記参照符との間の予め定義された関連性に基づいて」決定しているか不明である点。
　
（４）当審の判断
　
　上記相違点１，２について検討する。
　
ア　相違点１について
　
　保護対象コンテンツの一部をアクセスするために，一部の復号化鍵を配信する技術は当業者が普通に採用する常套手段である（引用例２の上記Ｅを参照）。
　また，本件補正発明の「保護対象コンテンツの一部」が，保護対象コンテンツのうち，一部のみ暗号化されたその暗号化された部分を意味するとしても，このような意味内容の技術は引用例３（上記Ｆを参照）に「一部のフレームのみを暗号化して，暗号化されていない部分を試聴データとすることも知られている」と記載されているように，当該技術分野において周知技術であるから，前記意味内容であるとしても，引用例３に記載の周知技術を参酌することにより当業者が容易になし得たものである。
　してみれば，引用発明において，暗号メカニズムで保護対象コンテンツの一部をアクセスすることは，上記周知技術を参酌することにより当業者が容易に想到し得たことである。
　
イ　相違点２について
　
　引用発明では，保護対象コンテンツをアクセスするための参照符（解読キー）を，格納装置識別子（ディスクＩＤ情報）とリモートロケーション識別番号との関連づけに基づいて決定するところ，ユーザから送信された格納装置識別子（媒体識別番号を受け取ることを条件）との予め定義された関連性に基づいて，格納装置に記憶された保護対象コンテンツを復号化するための暗号メカニズムの参照符（鍵データ）を決定することは，例えば，引用例４（上記Ｇを参照）に記載されるように，当該技術分野における周知技術であった。
　また，データを復号するのに必要な復号鍵の取得要求に応じて，送信対象となる復号鍵は記憶媒体などのＩＤと復号鍵との間のリスト化された予め定義された関連性に基づいて管理センターにより決定されること（必要であれば，参考文献６の上記Ｊ，Ｋを参照）は当該技術分野における周知技術であることから，保護対象コンテンツをアクセスするための参照符を，格納装置識別子と少なくとも参照符との間の予め定義された関連性に基づいて決定する当該技術分野における周知技術であったといえる。
　さらに，保護対象コンテンツをアクセスするための認証処理を，格納装置識別子，計算装置識別子，ユーザ識別子のいずれの１つ又は複数で行うこと（必要であれば，引用例５の上記Ｈを参照）も当該技術分野における常套手段であった。
　そうすると，引用発明においても，参照符（解読キー）の決定は，格納装置識別子と少なくとも参照符との関連づけに基づくとみることができるところ，上記常套手段が周知であったことを加味すれば，引用発明において引用例４，参考文献６に記載の上記周知技術を適用し，保護対象コンテンツをアクセスするための参照符を格納装置識別子と少なくとも前記参照符との間の予め定義された関連性に基づいて決定することは，当業者が容易に想到し得たことである。
　
ウ　小括
　
　上記で検討したごとく，相違点１，２に係る構成は当業者が容易に想到し得たものであり，そして，これらの相違点を総合的に勘案しても，本件補正発明の奏する作用効果は，上記引用発明，引用例２乃至５，参考文献６に記載の当該技術分野の周知技術の奏する作用効果から予測される範囲内のものにすぎず，格別顕著なものということはできない。
　したがって，本件補正発明は，上記引用発明，引用例２乃至５，参考文献６に記載の当該技術分野の周知技術に基づいて，当業者が容易に発明をすることができたものであり，特許法第２９条第２項の規定により，特許出願の際独立して特許を受けることができない。
　
３　本件補正についてのむすび
　よって，本件補正は，特許法１７条の２第６項において準用する同法１２６条７項の規定に違反するので，同法１５９条１項の規定において読み替えて準用する同法５３条１項の規定により却下すべきものである。
　よって，上記補正の却下の決定の結論のとおり決定する。
　
第３　本願発明について
　
１　本願発明
  
　平成３０年３月２０日にされた手続補正は，上記のとおり却下されたので，本願の請求項に係る発明は，平成２９年９月１２日にされた手続補正により補正された特許請求の範囲の請求項１乃至４５に記載された事項により特定されるものであるところ，その請求項１に係る発明（以下「本願発明」という。）は，その請求項１に記載された事項により特定される，以下のとおりのものである。
　
「　　【請求項１】
　格納装置識別子および保護対象コンテンツを含む格納装置をアクティブにする複数の計算装置のための方法であって，前記格納装置識別子は前記格納装置を識別するもので，前記方法は，
　前記格納装置識別子をネットワーク装置へ送出し，
　前記保護対象コンテンツの一部をアクセスするための暗号メカニズムの少なくとも参照符を前記ネットワーク装置から受け取り，ここにおいて前記暗号メカニズムの少なくとも前記参照符は前記格納装置識別子との予め定義された関連性に基づいて前記ネットワーク装置によって決定され，ここにおいて前記格納装置識別子は前記保護対象コンテンツの一部を識別せずに送出されるものである，
　前記暗号メカニズムで前記保護対象コンテンツの少なくとも一部をアクセスすることを備える方法。」
　
２　原査定の拒絶の理由
　
　原査定の拒絶の理由は，この出願の請求項１−４５に係る発明は，本願の優先権主張の日前に日本国内又は外国において，頒布された又は電気通信回線を通じて公衆に利用可能となった下記の引用例１−５に記載された発明及び周知技術に基づいて，その出願前にその発明の属する技術の分野における通常の知識を有する者が容易に発明をすることができたものであるから，特許法２９条２項の規定により特許を受けることができない，というものである。
　
引用例１：　米国特許第６８３２３１８号明細書
引用例２：　特開２００２−２７９１０２号公報
引用例３：　特開２００４−３６２７２１号公報
引用例４：　芳尾  太郎，ディジタル著作権：小型メモリ・カードで音楽著
　　　　作権を守る，日経エレクトロニクス，日本，日経ＢＰ社，１９９
　　　　９年　３月２２日，第７３９号，ｐ．４９−５３
引用例５：　特開２００２−３１２０５４号公報
　
３　引用例に記載されている技術的事項及び引用発明
　
　原査定の拒絶の理由に引用された，引用発明は，前記「第２　平成３０年３月２０日付けの手続補正についての補正却下の決定」の「２　補正の適否」の「（２）引用例」に記載したとおりである。
　
４　対比・判断  
　
　本願発明は，前記「第２　平成３０年３月２０日付けの手続補正についての補正却下の決定」の「２　補正の適否」で検討した本件補正発明の発明特定事項である
　「前記保護対象コンテンツの一部をアクセスするための暗号メカニズムの少なくとも
１つの
　「前記格納装置識別子と
少なくとも前記参照符との間
　さらに，「前記保護対象コンテンツの
前記
　そうすると，本願発明の発明特定事項を全て含む本件補正発明が，前記「第２　平成３０年３月２０日付けの手続補正についての補正却下の決定」の「２　補正の適否」の「（２）引用例」乃至「（４）当審の判断」に記載したとおり，引用発明，引用例２乃至５，参考文献６に記載の当該技術分野の周知技術に基づいて当業者が容易に発明をすることができたものであるから，上記特定の限定を省いた本願発明も同様の理由により，引用発明，引用例２乃至５，参考文献６に記載の当該技術分野の周知技術に基づいて，当業者が容易に発明をすることができたものである。
　
第４　むすび 
　
　以上のとおり，本願の請求項１に係る発明は，特許法第２９条第２項の規定により特許を受けることができないものであるから，その余の請求項に係る発明について検討するまでもなく，本願は拒絶すべきものである。 
　
　よって，結論のとおり審決する。